(57)【要約】【課題】廃水、特に油分を含有する廃水から生じる磁性フロックから従来よりも高純度の磁性粒子を従来よりも小さなエネルギーで分離処理することができる磁性粒子回収装置を備えた廃水処理装置を提供する。【解決手段】廃水から磁性フロックを取り除いた処理水を得る磁性フロック除去装置１０と、回収した磁性フロックから磁性粒子を分離する磁性粒子回収装置１５とを備えた廃水処理装置１００において、磁性粒子回収装置１５は、回収した磁性フロックを水熱処理する水熱処理機１１と、水熱処理した水熱分解物中の成分を比重差によって比重の重い重比重成分と比重の軽い軽比重成分とに分離処理する比重差分離槽２０と、比重差分離処理により分離された重比重成分の中から磁力によって前記磁性粒子を分離する磁性粒子分離機２６と、を備えた。【選択図】  図１
2011136289.tif 000002
【特許請求の範囲】
【請求項１】
槽内に溜められた廃水に凝集剤及び磁性粒子を添加することにより凝集した磁性フロックを生成し、該磁性フロックを磁力によって回収することにより、前記廃水から磁性フロックを取り除いた処理水を得る磁性フロック除去装置と、前記回収した磁性フロックから磁性粒子を分離する磁性粒子回収装置とを備えた廃水処理装置において、
前記磁性粒子回収装置は、
前記回収した磁性フロックを水熱処理する水熱処理手段と、
前記水熱処理した水熱分解物中の成分を比重差によって比重の重い重比重成分と比重の軽い軽比重成分とに分離処理する比重差分離手段と、
前記比重差分離処理により分離された重比重成分の中から磁力によって前記磁性粒子を分離する磁性粒子分離手段と、を備えたことを特徴とする廃水処理装置。
【請求項２】
前記比重差分離手段は、攪拌機又は超音波振動器を有し、重力を利用して前記水熱分解物を比重差分離する比重差分離槽であることを特徴とする請求項１に記載の廃水処理装置。
【請求項３】
前記比重差分離手段は、遠心力を利用して比重差分離する遠心分離機であることを特徴とする請求項１に記載の廃水処理装置。
【請求項４】
前記比重差分離手段と前記磁性粒子分離手段とは、同じハウジング内に一体的に設けられ、比重差分離処理と磁性粒子分離処理とを同時進行させることを特徴とする請求項１又は２に記載の廃水処理装置。
【請求項５】
前記水熱処理手段の前段には、前記回収した磁性フロックの水分を蒸発させて磁性フロック中の水分を低減する蒸発手段を備えたことを特徴とする請求項１〜４の何れか１に記載の廃水処理装置。
【請求項６】
前記蒸発手段で発生した水蒸気を圧縮器で圧縮して高温高圧蒸気を生成する高温高圧蒸気生成手段と、該高温高圧蒸気を前記回収した磁性フロックと熱交換する熱交換器とを設けたことを特徴とする請求項１〜５の何れか１に記載の廃水処理装置。
【請求項７】
前記廃水には油分を含有していることを特徴とする請求項１〜６の何れか１に記載の廃水処理装置。  
【請求項８】
前記油分は鉱物油であることを特徴とする請求項７に記載の廃水処理装置。
【請求項９】
前記磁性粒子分離手段で分離した磁性粒子を前記磁性フロック除去手段に送って再利用する再利用ラインが設けられていることを特徴とする請求項１〜８の何れか１に記載の廃水処理装置。
【発明の詳細な説明】
【技術分野】
【０００１】
本発明は廃水処理装置に係り、特に廃水に凝集剤や磁性粒子を投入し、凝集磁気分離によって磁性フロックを除去することにより廃水を処理する廃水処理装置における前記磁性フロック中の磁性粒子回収技術に関する。
【背景技術】
【０００２】
凝集磁気分離方式による水処理法とは、被処理対象である廃水に凝集剤と磁性粒子を投入し、攪拌することにより生成させた凝集フロック（以下、磁性フロックと称する）を磁気分離装置によって磁力で回収することにより処理水を得る方式である。
【０００３】
この方式では磁性粒子を含む磁性フロックが回収されるが、回収した磁性フロックは産業廃棄物として廃棄される必要があり、磁性粒子供給コストと産業廃棄物としての回収フロック処分費用がランニングコストの上昇をまねいている。
【０００４】
この課題を解決するための技術として、特許文献１及び２に開示されているように、磁性粒子を含有する汚泥を水熱反応により分解し、汚泥を減容化する技術が知られている。
【０００５】
特許文献１、２に開示された廃水処理装置は、磁気分離装置による凝集磁気分離により汚水を浄化し、その際に発生する汚泥を高温高圧で水熱処理し、高温高圧ラインのなかで磁性粒子を磁気分離により回収する装置である。
【先行技術文献】
【特許文献】
【０００６】
【特許文献１】特開平１１−１２３３９９号公報
【特許文献２】特開平１１−２０７３９９号公報
【発明の概要】
【発明が解決しようとする課題】
【０００７】
しかしながら、特許文献１、２の廃水処理装置は、油分特に鉱物油を含む廃水の処理、例えば石油生産現場で産出される産出水や、オイルサンドのプロセス水を処理する場合、磁性フロックから回収された磁性粒子のまわりには依然として除去すべき油分が付着している。これにより、回収された磁性粒子の純度が上がらないという問題がある。
【０００８】
水熱処理により磁性粒子の純度を上げようとすると、水熱処理における高温条件や高圧条件を更に大きくしなくてはならず、多大なエネルギーを必要とするという新たな問題が生じる。
【０００９】
本発明は、このような事情に鑑みてなされたもので、廃水、特に油分を含有する廃水から生じる磁性フロックから従来よりも高純度の磁性粒子を従来よりも小さなエネルギーで分離処理することができる磁性粒子回収装置を備えた廃水処理装置を提供することを目的とする。
【課題を解決するための手段】
【００１０】
前記目的を達成するために、本発明は、槽内に溜められた廃水に凝集剤及び磁性粒子を添加することにより凝集した磁性フロックを生成し、該磁性フロックを磁力によって回収することにより、前記廃水から磁性フロックを取り除いた処理水を得る磁性フロック除去装置と、前記回収した磁性フロックから磁性粒子を分離する磁性粒子回収装置とを備えた廃水処理装置において、前記磁性粒子回収装置は、前記回収した磁性フロックを水熱処理する水熱処理手段と、前記水熱処理した水熱分解物中の成分を比重差によって比重の重い重比重成分と比重の軽い軽比重成分とに分離処理する比重差分離手段と、前記比重差分離処理により分離された重比重成分の中から磁力によって前記磁性粒子を分離する磁性粒子分離手段と、を備えたことを特徴とする廃水処理装置を提供する。
【００１１】
本発明者は、廃水、特に油分を含有する廃水に凝集剤及び磁性粒子を添加して得られる磁性フロックから磁性粒子を分離して磁性フロック除去装置で再利用しようとしても、磁性粒子の純度が悪いために十分な効果が得られないという問題を鋭意検討した結果、磁性フロックの水熱処理に比重差分離処理を組み合わせることで、磁性粒子の純度を顕著に向上できるとの知見を得た。
【００１２】
本発明によれば、回収した磁性フロックを先ず水熱処理によって高温（例えば１００〜３００℃）、高圧（１〜５ＭＰａ）で所定時間（例えば１０〜３０分）保持し水熱反応を進行させる。これにより、磁性フロックが分解する。
【００１３】
次に水熱分解物（分解した磁性フロック）を比重差分離手段に送り、水熱分解物中の磁性粒子を含む重比重成分とその他の軽比重成分とを比重差によって分離する。これにより、磁性粒子にまとわりついていた軽比重成分、特に油分が磁性粒子から分離される。油分の中でも石油生産現場で産出される産出水や、オイルサンドのプロセス水に含有される鉱物油は、動物脂や植物油とは異なり水熱処理により分解しにくいので、本発明は特に有効である。
【００１４】
比重差分離手段としては、攪拌機又は超音波振動器を有し、水熱分解物を比重差で分離する比重差分離槽、あるいは遠心分離機を好ましく使用することができる。
【００１５】
次に、重比重成分を磁性粒子分離手段に送って重比重成分の中から磁力によって磁性粒子を分離する。これにより、従来のように磁性フロック中の磁性粒子を水熱処理のみで分離処理しようとする場合に比べて、分離された磁性粒子の純度を顕著に向上させることができる。
【００１６】
本発明においては、比重差分離手段と磁性粒子分離手段とは、同じハウジング内に一体的に設けられ、比重差分離処理と磁性粒子分離処理とを同時進行させることが好ましい。これにより、比重差分離処理において磁性粒子から一旦分離した油分等の軽比重分が再び磁性粒子に付着する前に磁性粒子を磁性粒子分離手段で分離回収することができる。また、比重差分離手段と磁性粒子分離手段とを、同じハウジング内に一体的に設けることで装置的にもコンパクト化することができる。
【００１７】
また、本発明においては、前記水熱処理手段の前段には、前記回収した磁性フロックの水分を蒸発させて磁性フロック中の水分を低減する蒸発手段を備えることが好ましい。これにより、磁性フロックを減容化することができるので、後段の水熱処理手段や磁性粒子分離手段の容量を小さくできる。したがって、装置のコンパクト化に寄与する。更には、磁性フロックから蒸発した水分は不純物を殆ど含まないので、例えば水熱処理手段における加熱用の蒸気源として再利用することができるので省エネになる。
【００１８】
また、蒸発手段で発生した水蒸気を圧縮して高温高圧蒸気を生成する高温高圧蒸気生成手段と、該高温高圧蒸気を前記回収した磁性フロックと熱交換する熱交換器とを設ければ、更に省エネになる。
【００１９】
また、本発明においては、前記磁性粒子分離手段で分離した磁性粒子を前記磁性フロック除去手段に送って再利用する再利用ラインが設けられていることが好ましい。これにより、磁性粒子の再利用を行って廃水処理のランニングコストを大幅に低減できる。本発明の場合には、分離回収した磁性粒子の純度が高くなるので、再利用しても磁性フロック除去装置での磁性フロック除去性能が殆ど低下することがない。
【発明の効果】
【００２０】
本発明によれば、廃水、特に油分を含有する廃水から生じる磁性フロックから従来よりも高純度の磁性粒子を従来よりも小さなエネルギーで分離処理することができる。
【図面の簡単な説明】
【００２１】
【図１】本発明の廃水処理装置の第１の実施の形態を示す全体構成図
【図２】水熱分解物が配管を流れる様子を示した説明図
【図３】比重差分離手段の一態様である比重差分離槽を説明する説明図
【図４】第１の実施の形態の変形例を示す全体構成図
【図５】本発明の廃水処理装置の第２の実施の形態を示す全体構成図
【図６】第２の実施の形態の変形例を示す全体構成図
【図７】本発明の廃水処理装置の第３の実施の形態を示す全体構成図
【図８】本発明の廃水処理装置の第４の実施の形態を示す全体構成図
【発明を実施するための形態】
【００２２】
以下、添付図面に従って本発明に係る廃水処理装置の好ましい実施の形態について説明する。
【００２３】
［廃水処理装置の第１の実施の形態］
図１は、本発明の廃水処理装置１００の第１の実施の形態の全体構成図である。
【００２４】
本発明の廃水処理装置１００は大別すると、槽内に溜められた廃水に凝集剤及び磁性粒子を添加することにより凝集した磁性フロックを生成し、該磁性フロックを磁力によって回収することにより廃水から磁性フロックを取り除いた処理水を得る磁性フロック除去装置１０と、回収した磁性フロックから磁性粒子を分離回収する磁性粒子回収装置１５とに分けられる。
【００２５】
まず、磁性フロック除去装置１０の構成について説明する。なお、以下に説明する各機器類は配管によって接続されるが、符号を付した方が図を説明し易い場合を除いて符号を付していない。
【００２６】
被処理水である廃水（小さな浮遊物質やエマルジョン化した油粒子を含む廃水）は、原水タンク１から原水ポンプ２によって配管を流れて急速攪拌槽６に送られる。急速攪拌槽６では、無機の凝集剤が、無機凝集剤注入ポンプ（図示せず）よって無機凝集剤槽３から添加されると共に、磁性粒子注入ポンプ（図示せず）によって攪拌翼４Ａを備えた磁性粒子タンク４から磁性粒子が添加される。無機凝集剤としては、例えばＰＡＣ（ポリ塩化アルミニウム）、硫酸第二鉄、塩化第二鉄、硫酸アルミニウム等を使用することができ、磁性粒子としては例えば四三酸化鉄（マグネタイト）等を使用することができる。
【００２７】
そして、攪拌翼６Ａによって急速攪拌が行われる。これにより、廃水中に浮遊していた浮遊物質や油等のエマルジョンなどは凝集剤により磁性粒子とともに凝集する。この凝集作用において、急速攪拌によって衝突頻度が高まることにより、マイクロフロック（以下、磁性フロックという）と呼ばれる多数の小さな塊が形成される。なお、磁性粒子の添加位置は急速攪拌槽６内に限らず急速攪拌槽６出口でもよい。
【００２８】
次に、磁性フロックを含む被処理水は、急速攪拌槽６を出た後、配管を流れて攪拌翼７Ａを備えた緩速攪拌槽７に送られる。ここで、高分子ポリマーポンプ（図示せず）によって高分子ポリマータンク５から高分子ポリマー（高分子凝集剤）が注入され、緩速攪拌槽７内でゆっくり攪拌される。この緩速攪拌によって、凝集した磁性フロックが成長する。この場合の高分子ポリマー（高分子凝集剤）はアニオン系が望ましく、例えばポリアクリルアミドが適している。ポリアクリルアミドの場合は粉末で保管しておき、フィーダで定量高分子ポリマータンク５に注入して攪拌する構造が考えられる。また、上記例は、無機凝集剤とアニオン系高分子ポリマー（高分子凝集剤）を使用する例を示したが、無機凝集剤を使用せずにカチオン系の高分子ポリマー（高分子凝集剤）のみを使用する場合でも以下の効果は同様となる。
【００２９】
次に、成長した磁性フロックは、配管を流れて磁気分離機８に送られる。
【００３０】
磁気分離機８には、例えばネオジウム磁石等の永久磁石を内蔵する磁気ドラム８ａが設置されている。そして、磁気ドラム８ａの近傍を、磁性フロックを有する凝集水が通過する際に、磁性粒子を含む磁性フロックが永久磁石の磁力によって吸引され、磁気ドラム８ａの表面に吸着される。吸着された磁性フロックは磁気ドラム８ａの回転とともに水中から空中に上げられ、スクレーパ１４によって掻き取られて回収される。回収された磁性フロック（以下、回収磁性フロックと称する）は、磁性粒子回収装置１５へ送られる。また、磁性フロックが取り除かれた水は処理水として図示しないトラフに越流し、磁気分離機８から外部に排出される。
【００３１】
次に、磁性粒子回収装置１５の構成について説明する。
【００３２】
磁気分離機８で回収された回収磁性フロックは、配管を流れて回収フロック槽９に送られ、ここで一旦貯められる。回収フロック槽９には攪拌機９Ａが設けられており、この攪拌機９Ａによって槽９内を攪拌することによって回収フロックの沈殿が防止されている。回収フロック槽９内の回収磁性フロックはそのまま用いてもよいが、ヒータ５２を用いて温度を４０〜１００℃に加熱すると、後段の水熱処理機１１Ａ，１１Ｂによる回収磁性フロックの分解効率を高めることができるので好ましい。また、図示しないが、回収フロック槽９に例えばｐＨ計とＮａＯＨ等のアルカリタンク、及びその注入ポンプを有するｐＨ調整手段を設け、回収フロックのｐＨを８〜１４にすると、後段の水熱処理機１１Ａ，１１Ｂによる回収磁性フロックの分解効率を高めることができる。これは、通常中性であるｐＨ＝７付近でもっとも凝集効果が高くなるように凝集剤が存在しているからであり、ｐＨ領域を凝集効果の高い領域から外すことによって凝集効果が悪くなるからである。したがって、加熱とｐＨ調整との両方を行うことが最も好ましい。
【００３３】
次に、回収フロック槽９の回収磁性フロックは、高圧ポンプ１２によって高圧・高温条件下で回収磁性フロックを分解する水熱処理機１１Ａ，１１Ｂに送られる。水熱処理機１１Ａ，１１Ｂは単独（１基）でもよいが、省エネを達成するには複数を並列配置することが好ましい。図１では、第１の水熱処理機１１Ａと第２の水熱処理機１１Ｂの２基を並列配置して交互に使用する例で示してある。
【００３４】
回収磁性フロックが回収フロック槽９から第１の水熱処理機１１Ａの反応容器１３ａ（耐圧容器）に所定量送られたら、投入弁１４ａを閉成する。そして、蒸気弁１５ａを開成し、ボイラー１７で作られた例えば２ＭＰａ、３００℃の高温高圧の蒸気を反応容器１３ａ内に注入する。そして、反応容器１３ａ内を約２ＭＰａの高圧に保つ。これにより、蒸気の内部エネルギーにより反応容器１３ａ内の回収磁性フロックの温度が上昇し、圧力約２ＭＰａでの飽和水状態が形成される。この状態で、所定時間例えば１０〜３０分間水熱反応を行い磁性回収フロックの分解を進行させる。この場合、反応容器１３ａ内に攪拌機１９ａを設置して回収磁性フロックを攪拌することが好ましい。これにより、反応容器１３ａ内で回収磁性フロックが偏在しないようにすることができるので、回収磁性フロックの突沸現象を防止することができる。
【００３５】
第１の水熱処理機１１Ａによって回収磁性フロックの分解を行っている間、もう一方の第２の水熱処理機１１Ｂの投入弁１４ｂを開いて回収フロック槽９の回収磁性フロックを投入しておく。そして、第１の水熱処理機１１Ａにおける所定時間の分解反応が終了したら、蒸気弁１５ａを開成すると共に、第２の水熱処理機１１Ｂの蒸気弁１５ｂを開成して、第１の水熱処理機１１Ａの蒸気の一部を第２の水熱処理機１１Ｂに送り込む。この場合、ポンプ（図示せず）を用いてもよいが第１の水熱処理機１１Ａの反応容器１３ａ（高圧）と第２の水熱処理機１１Ｂ（大気圧）の反応容器１３ｂとの圧力差を利用すればポンプを用いなくても移送できる。この蒸気移送により第１の水熱処理機１１Ａの反応容器１３ａと第２の水熱処理機１１Ｂの反応容器１３ｂの圧力は均等化し、ともに１ＭＰａになるので、第２の水熱処理機１１Ｂの蒸気弁１５ｂは閉成する。なお、符号１３ｂ及び１９ｂはそれぞれ第２の水熱処理機１１Ｂの反応容器と硫黄機攪拌機とである。
【００３６】
次に、第１の水熱処理機１１Ａについては、蒸気排出弁１８を開成して反応容器１３ａ内に残った蒸気を大気中に放出した後、分解物排出弁１６ａを開成して分解処理後の回収磁性フロック（以下、水熱分解物という）をポンプ（図示せず）により配管を介して比重差分離手段に送る。図１では、比重差分離手段として、重力を利用して水熱分解物の各成分を比重差分離する比重差分離槽２０の例で示した。なお、符号１６ｂは第２の水熱処理機１１Ｂの分解物排出弁である。
【００３７】
この場合、蒸気排出弁１８から排出された蒸気は不純物を含まないため大気中に放出しても環境汚染の心配はない。しかし、蒸気排出弁１８から排出した蒸気を回収フロック槽９のヒータ５２に送って回収磁性フロックを加熱する加熱源として使用すると省エネになる。図１では、蒸気排出弁１８からの蒸気５１と、ヒータ５２に使用される蒸気５１を同符号で記載することで、蒸気排出弁１８からの蒸気５１をヒータ５２に送ることを示してある。
【００３８】
また、回収磁性フロックとの熱交換により蒸気が凝縮した凝縮水をボイラー１７の供給水として戻すことにより省エネになると共に、ヒータ５２での熱交換で液化した水５３をボイラー１７の供給水として使用すると更に省エネになる。
【００３９】
一方、第２の水熱処理機１１Ｂの反応容器１３ｂには、ボイラー１７から例えば２ＭＰａ、３００℃の高温高圧の蒸気が注入され、第１の水熱処理機１１Ａと同様に回収磁性フロックの水熱反応処理が行われる。
【００４０】
このように、複数系列の水熱処理機１１Ａ，１１Ｂを設けることにより、バッチ式の水熱処理機でも連続運転が可能となる。これにより、単位時間当たりの処理量を向上でき、その結果省エネにもなる。 
【００４１】
次に、水熱処理機１１Ａ，１１Ｂで処理された水熱分解物は配管を流れて比重差分離槽２０に送られる。このとき、図２に示すように、水熱分解物の各成分が油分層６１と水分層６２とに分かれて配管６３内を流れる。この場合、水熱分解物中の磁性粒子６４は親油性が高いために水分層６２側よりも油分層６１側に多く含まれることになる。したがって、このまま次の磁性粒子分離機２６で磁性粒子６４を分離回収すると、磁性粒子６４に油がまとわりついた状態で回収されるため、純度の悪い磁性粒子６４しか回収できない。
【００４２】
そこで、本発明の第１の実施の形態では、水熱処理機１１Ａ，１１Ｂと磁性粒子分離機２６との間に比重差分離手段の一態様である比重差分離槽２０を設けた。
【００４３】
図３は、比重差分離槽２０の一例を示したものである。図３に示すように、槽２０は下部がコーン形状に形成されると共に、上部にトラフ６５が設けられる。また、槽内の水熱分解物に対して攪拌機６６による攪拌エネルギーあるいは超音波発生手段（図示せず）による超音波エネルギーを付与できるようになっている。図３では、攪拌機６６の例で示してある。
【００４４】
そして、比重差分離槽２０に投入された水熱分解物は、攪拌機６６により急速攪拌されてエネルギーが付与される。その後、攪拌機６６を停止して静置する。この急速攪拌により水熱分解物を構成する各成分が分散され、水熱分解物中の磁性粒子を含む固形物である重比重成分が槽底部（水分層６２側）に沈降する。一方、磁性粒子にまとわりついていた油等の軽比重成分が磁性粒子から分離されて油分層６１となって槽上部に集まる。これにより、磁性粒子から油等の軽比重成分を比重差によって効果的に分離することができる。
【００４５】
この比重差分離槽２０は、廃水が石油生産現場から発生する産生水や、オイルサンドのプロセス水、更には石油タンクの洗浄水等のように石油等の鉱物油を含む廃水の場合に特に有効である。これは、鉱物油は水熱反応処理だけでは分解されにくく、磁性粒子にまとわりついた鉱物油が磁性粒子に付着したまま次の磁性粒子分離機２６に送られてしまい、純度の高い磁性粒子が得られないためである。また、比重差分離槽２０を設けることで、トラフ６５に回収した油を生産油の一部として利用することができるので、例えば石油生産のロス削減にも寄与できる。
【００４６】
次に、比重差分離槽２０において沈降した磁性粒子等の重比重成分は、磁性粒子分離機２６に送られ、油分等の軽比重成分は排出管２１から外部に排出される。一方、水分等の重比重成分は配管２３を流れて原水タンク１に戻る。
【００４７】
この磁性粒子分離機２６は磁性フロック除去装置１０の磁気分離機８と同様に磁気ドラム２９及びスクレーパ３０で構成されるが、より小型のものを使用することができる。磁性粒子分離機２６では、重比重成分が磁気ドラム２９の近傍を通過する際に、重比重成分に含まれた磁性粒子が永久磁石の磁力によって吸引され、磁気ドラム２９の表面に吸着される。吸着された磁性粒子は磁気ドラム２９の回転とともに水中から空中に上げられ、スクレーパ３０によって掻き取られて磁性粒子タンク３１に回収される。
【００４８】
そして、分離回収された磁性粒子は、ポンプ２７により回収配管２８を流れて再び磁性粒子タンク４に送られて再利用される。
【００４９】
このように本発明における磁性粒子回収装置１５によれば、水熱処理機１１Ａ、１１Ｂと磁性粒子分離機２６との間に、比重差分離槽２０を設けて、磁性粒子にまとわりついている油分を分離するようにしたので、回収磁性フロックの中から磁性粒子を高い純度で分離回収することができる。
【００５０】
［第１の実施の形態の変形例］
図４は、第１の実施の形態の廃水処理装置１００の変形例を示したものである。この変形例は、第１の実施の形態と同様にバッチ式の磁性粒子回収装置１５の例で示してあるが、高圧ポンプ１２の前段に回収磁性フロックの水分を蒸発させる蒸発器８２と、蒸発器８２に至る回収磁性フロックを予備加熱する熱交換器２２を設けた点で図１と異なる。
【００５１】
即ち、図４に示すように、回収フロック槽９に貯められた回収磁性フロックはポンプ５９によって配管を流れて熱交換器２２に運ばれ、比重差分離槽２０から排出される熱水と熱交換される。熱交換によって加熱された回収磁性フロックは配管を流れて蒸発器８２に移送され、蒸発器８２において回収磁性フロックの水分の一部が蒸発して除去される。蒸発によって得られた熱水は塩分やその他の不純物を殆ど含まないので、配管８０（点線で表示）を介してボイラー１７に送られる。これにより、ボイラー供給水を節約できると同時にボイラー１７での熱エネルギー節約にもなる。
【００５２】
また、第１及び第２の水熱処理機１１Ａ，１１Ｂの反応容器１３ａ、１３ｂは水熱時間を確保するために必要な滞留時間を確保するため、容積を大きくする必要がある。しかし、本変形例のように水熱処理機１１Ａ，１１Ｂの前段に蒸発器８２を設けて回収磁性フロックの水分の一部を蒸発させて減容化することで、反応容器１３ａ、１３ｂのコンパクト化を図ることができる。
【００５３】
なお、この変形例では、比重差分離槽２０から熱交換器２２に供給された熱水は熱交換器２２で熱交換に使用された後、配管２３を流れて原水タンク１に戻る。
【００５４】
［廃水処理装置の第２の実施の形態］
図５は、第２の実施の形態に係る廃水処理装置２００であり、磁性フロック除去装置１０の構成は第１の実施の形態と同様であるので説明は省略し、磁性粒子回収装置１５の構成のみを説明する。
【００５５】
第２の実施の形態は磁性粒子回収装置１５全体を連続式に構成したものである。
【００５６】
図５に示すように、連続式の磁性粒子回収装置１５は、主として、回収フロック槽９、高圧ポンプ１２、熱交換器３５、水熱反応器３６、遠心分離機３２（比重差分離手段の別態様）、磁性粒子分離機２６を配管でつなぎ、各機器において回収磁性フロックが連続処理されるように構成したものである。
【００５７】
即ち、回収フロック槽９に貯められた回収磁性フロックは、高圧ポンプ１２によって配管内を高圧状態（例えば１〜５ＭＰａ）となって熱交換器３５に送られて加熱される。熱交換器３５は、次の水熱反応器３６に至る往路コイル３５Ａと水熱反応器３６から戻る復路コイル３５Ｂとの間で熱交換される構造となっており、往路コイル３５Ａを流れる低温の回収磁性フロックと復路コイル３５Ｂを流れる高温の水熱分解物（水熱反応により分解した回収磁性フロック）とが熱交換する。これにより、往路コイル３５Ａを流れる回収磁性フロックが加熱される。
【００５８】
加熱された回収磁性フロックは、配管内を流れて水熱反応器３６に送られると共に水熱反応器３６のヒータ４１で水熱反応を行うに足る温度（例えば１００〜３００℃）まで更に高められる。これにより、水熱反応器３６内のコイル３６Ａを流れる回収磁性フロックは高温高圧下におかれて水熱反応が進行し、分解される。この場合、水熱反応時間を十分に確保（例えば１０〜３０分）できるように、水熱反応器３６内に収納されたコイル３６Ａをスパイラル状にしてコイル長を長く確保することが好ましい。
【００５９】
水熱反応により回収磁性フロックが分解した水熱分解物は、配管を流れて熱交換器３５に戻り、熱交換することにより熱エネルギーを放出して冷却される。必要であれば熱交換器３５の後に冷却器３８を設けて強制的に冷却することが好ましい。冷却器３８後の配管に背圧弁３７が設けられ、配管内の圧力を大気圧まで低下させる。これにより、背圧弁３７を通過した水熱分解物は大気圧条件下で遠心分離機３２（比重差分離手段）に送られる。そして、遠心分離機３２によって磁性粒子を含む固形物等の重比重成分と、その他の油分を含む軽比重成分との分離が連続的に行われる。分離された油は排出管２１から外部に排出される。
【００６０】
次に、重比重成分が磁性粒子分離機２６に送られて第１の実施の形態と同様に、重比重成分から磁性粒子が分離回収され、ポンプ２７により回収配管２８を流れて再び磁性粒子タンク４に送られて再利用される。
【００６１】
このように本発明における第２の実施の形態の磁性粒子回収装置１５によれば、水熱反応器３６と磁性粒子分離機２６との間に、遠心分離機３２を設けて、磁性粒子にまとわりついている油分を分離するようにしたので、回収磁性フロックの中から磁性粒子を高い純度で連続的に分離回収することができる。
【００６２】
［第２の実施の形態の変形例］
図６は、第２の実施の形態の廃水処理装置２００の変形例を示したものである。この変形例は、第２の実施の形態と同様に連続式の磁性粒子回収装置１５の例で示してあるが、高圧ポンプ１２の前段に回収磁性フロックの水分を蒸発させる蒸発器８２と、蒸発器８２に至る回収磁性フロックを予備加熱する熱交換器２２を設けた点で図５と異なる。
【００６３】
図６に示すように、回収フロック槽９に貯められた回収磁性フロックはポンプ５９によって配管を流れて熱交換器２２に運ばれ、遠心分離機３２から排出される熱水と熱交換される。熱交換によって加熱された回収磁性フロックは配管を流れて蒸発器８２に移送され、蒸発器８２において回収磁性フロックの水分の一部が蒸発して除去される。
【００６４】
蒸発した蒸気の全部又は一部が配管３４を介して圧縮器３３に送られ、ここで高温高圧の蒸気となって水熱反応器３６のヒータ４１に送られ加熱源として使用される。これにより省エネを図ることができる。また、蒸発した蒸気は塩分や不純物を殆ど含まないので、配管２４を介して一般のボイラーに戻せばボイラー供給水の節約になる。更には、圧縮器３３で得られた高温高圧の蒸気を蒸発器８２の加熱源としても使用すれば更なる省エネになる。
【００６５】
また、水熱処理を行う水熱反応器３６は水熱時間を確保するために水熱反応器３６内に収納するコイル３６Ａの長さを長くする必要があり、水熱反応器３６自体の容積が大きくなる傾向にある。しかし、本変形例のように水熱処理の前段に蒸発器８２を設けて回収磁性フロックの水分の一部を蒸発させて減容化することで、水熱反応器３６をコンパクト化することができる。
【００６６】
［廃水処理装置の第３の実施の形態］
図７は、第３の実施の形態に係る廃水処理装置３００であり、磁性フロック除去装置１０の構成は第１の実施の形態と同様であるので説明は省略し、磁性粒子回収装置１５の構成のみを説明する。
【００６７】
第３の実施の形態における磁性粒子回収装置１５は、第２の実施の形態と同様に連続式のものであるが、水熱処理と比重差分離処理とを縦長な槽形状に形成された１つの密閉可能な耐圧反応容器６０で一緒に行うようにしたものである。
【００６８】
図７に示すように、回収フロック槽９に貯められた回収磁性フロックは、高圧ポンプ１２によって配管内を高圧状態（例えば１〜５ＭＰａ）となって熱交換器３５に送られて加熱される。熱交換器３５の配管構造は第２の実施の形態で説明したと同様に耐圧反応容器６０に送る往路コイル３５Ａと耐圧反応容器６０から戻る復路コイル３５Ｂとの間で熱交換するように構成される。
【００６９】
加熱された回収磁性フロックは、配管内を流れて耐圧反応容器６０に供給される。耐圧反応容器６０に供給された回収磁性フロックは、耐圧反応容器６０に設けられたヒータ４１により更に加熱されて水熱反応を行うに足る温度（例えば１００〜３００℃）まで高められる。これにより、耐圧反応容器６０内が高温高圧下におかれて水熱反応が進行し、回収磁性フロックが分解される。図示しなかったが、耐圧反応容器６０内には、攪拌機による攪拌エネルギーあるいは超音波機による超音波エネルギーを回収磁性フロックに付与できるものを設けることが好ましい。これにより、水熱反応により分解した水熱分解物を構成する各成分は再度凝集することなく分散された状態で比重差により分離される。そして、分解された水熱分解物のうち、磁性粒子を含む固形分等の比重の重い重比重成分は耐圧反応容器６０の底部に沈降する。一方、油分等の比重の軽い軽比重成分は耐圧反応容器６０の上部に浮き上がり、復路配管３５Ｂを流れて熱交換器３５に戻る。そして、冷却器３８で冷却されると共に背圧弁３７で圧力が低下された後、配管２３を流れて再び原水タンク１に戻る。
【００７０】
このように、耐圧反応容器６０内で水熱処理と比重差分離処理とを一緒に行いつつ、耐圧反応容器６０の底部と次の磁性粒子分離機２６とを繋ぐ配管に設けられた開閉バルブ４４を定期的に開成する。これにより、耐圧反応容器６０の底部に沈降した重比重成分を磁性粒子分離機２６に送ることができる。また、定期的に開閉バルブ４４を開成することで、耐圧反応容器６０の底部に溜まった磁性粒子以外の固形物も復路配管３５Ｂ側に行くことを防止できる。これにより、熱交換器３５、背圧弁３７等が固形分によって閉塞したり、磨耗したりすることを防止できる。また、熱交換器３５の往路配管３５Ａと復路配管３５Ｂのうち、往路配管３５Ａに回収磁性フロックの固形分が存在するが、二重管構造にして往路配管３５Ａを円筒構造の内側管にすれば、ピグ（掃除用の玉）等によって簡単に洗浄できる。
【００７１】
この場合、往路コイル３５Ａと耐圧反応容器６０とを繋ぐ配管は、耐圧反応容器６０の上端部に接続し、復路コイル３５Ｂと耐圧反応容器６０とを繋ぐ配管は、耐圧反応容器６０の下から１／３程度の高さ位置に接続されることが好ましい。これにより、耐圧反応容器６０の底部に沈降した重比重成分が復路コイル３５Ｂに吸い込まれないようにできると共に、耐圧反応容器６０内での回収磁性フロックの滞留時間を長くできるので、水熱反応時間を十分に確保（例えば１０〜３０分）することができる。耐圧反応容器６０の高さは、滞留時間との関係で設定することが好ましい。また、耐圧反応容器６０の容積との関係から耐圧反応容器６０に供給する回収磁性フロックの供給量を調整するとよい。
【００７２】
次に、重比重成分が磁性粒子分離機２６に送られて第１の実施の形態と同様に、重比重成分から磁性粒子が分離回収される。
【００７３】
このように本発明における第３の実施の形態の磁性粒子回収装置１５によれば、回収磁性フロックの中から磁性粒子を高い純度で連続的に分離回収することができるだけでなく、水熱処理と比重差分離処理とを１つの耐圧反応容器６０で一緒に行うようにしたので、装置構成をシンプル化することができる。
【００７４】
なお、第３の実施の形態では、第１及び第２で示した変形例の図は示さなかったが、同様な構成をとることができる。
【００７５】
［廃水処理装置の第４の実施の形態］
図８は、比重差分離機能と磁性粒子分離機能とを同じハウジング内に一体的に設けることで、比重差分離処理と磁性分離処置の２つ分離処理を一緒に行う一体型分離機７０として構成したものである。
【００７６】
図８に示すように、一体型分離機７０は、下部がコーン形状に形成された槽形状のハウジング７２内に、上下２段に攪拌翼５５Ａ、５５Ｂを有する攪拌機５５が設けられる。また、ハウジング７２の上部にはバルブ７３を有する排出管２１が設けられる。そして、ハウジング７２外の高さ方向中央部には磁石が巻回される。磁石は永久磁石を使用することもできるが、電磁石５４を用いることが好ましい。また、ハウジング７２内の高さ方向中央部には磁性を帯びることが可能な細線で形成された磁性金網が層状に設けられる（以下、磁性金網層と５８いう）。これにより、電磁石５４がＯＮのときに磁性金網層５８が磁化を帯びるので、水熱分解物中の成分のうち磁性粒子が磁性金網層５８に吸着される。そして、電磁石５４をＯＦＦにすると、磁性金網層５８の磁化が消失するので、磁性金網層５８に吸着した磁性粒子は剥離可能となる。なお、攪拌機５５に設けた２段構造の攪拌翼５５Ａ，５５Ｂは、磁性金網層５８を挟んで上下に一つずつ設けることが好ましい。
【００７７】
また、ハウジング７２の磁性金網層５８よりも下側に回収磁性フロックを供給する配管６３が接続される。更にハウジング７２の底部には沈降物を排出する配管が設けられる。配管は、磁性粒子を排出する第１の排出管７６と磁性粒子以外の沈降物を排出する第２の排出管７７とに分かれる。第１及び第２の排出管にはそれぞれ開閉バルブ５６、５７が設けられる。
【００７８】
上記の如く構成された一体型分離機７０は、図１、図４のように比重差分離手段として比重差分離槽２０を用いた構成に適用することができる。
【００７９】
上記の如く構成された一体型分離機７０によれば、水熱処理機１１Ａ，１１Ｂで分解された水熱分解物は、図２で示したごとく油分層６１と水分層６２とに分かれて配管６３内を流れ、ハウジング７２内に供給される。この場合、水熱分解物の磁性粒子は親油性が高いために油分層６１側に多く含まれることになる。
【００８０】
ハウジング７２内に供給された水熱分解物のうち軽い比重の油分層６１は磁性金網層５８を通ってハウジング７２の上部に浮上すると共に、比重の重い水分層６２はハウジング７２の底部に滞留する。この際、攪拌機５５を回転しハウジング７２内の流れを乱すことにより、油分層６１中及び水分層６２中の磁性粒子が油分層６１の油あるいは水分層６２の磁性粒子以外の固形物から分離され易い状態が形成されるので、その後、攪拌機５５を停止して静置状態にする。これにより、油分層６１が磁性金網層５８を上昇するときに磁性粒子のみが磁力を有する磁性金網層５０に吸着し、油は磁性金網層５８を通過してハウジング７２の上部に溜まり、排出管２１から排出される。
【００８１】
一方、水分層６２中に含まれる磁性粒子も攪拌機５５の回転により他の固形物から分離され易い状態になる。これにより、水分層６２中の磁性粒子が磁性金網層５８の磁力に吸いよせられて吸着する。そして、水分層６２中の磁性粒子以外の固形物はハウジング７２の底部に沈降する。したがって、第２の排出管７７のバルブ５７を開成して外部に排出する。
【００８２】
次に、電磁石５４をＯＦＦにして磁性金網層５８の磁力を切り、逆洗水配管７８からハウジング７２内に逆洗水を流して磁性金網層５８に吸着された磁性粒子を洗う。これにより、磁性粒子は磁性金網層５８から分離して水相に移行し、ハウジング７２の底部に沈降する。したがって、第１の排出管７６のバルブ５６を開成して、磁性粒子をハウジング７２から排出する。そして、分離回収された磁性粒子は、ポンプ２７により回収配管２８を流れて再び磁性粒子タンク４に送られて再利用される。
【符号の説明】
【００８３】
１００、２００、３００…廃水処理装置、１…原水タンク、２…原水ポンプ、３…凝集剤タンク、４…磁性粒子タンク、５…高分子ポリマータンク、６…急速攪拌槽、７…緩速攪拌槽、８…磁気分離機、９…回収フロック槽、１０…磁性フロック除去装置、１１…水熱処理機、１２…高圧ポンプ、１３…反応容器、１７…ボイラー、２０…比重差分離槽、２６…磁性粒子分離機、２８…回収配管、３２…遠心分離機、３５…熱交換器、３６…水熱反応容器、３７…背圧弁、３８…冷却器、５４…電磁石、５５…攪拌機、５８…磁性金属層、６０…耐圧反応容器、７０…一体型分離機、７２…ハウジング、７６、７７…排出管
【図１】
2011136289.tif 000003
【図２】
2011136289.tif 000004
【図３】
2011136289.tif 000005
【図４】
2011136289.tif 000006
【図５】
2011136289.tif 000007
【図６】
2011136289.tif 000008
【図７】
2011136289.tif 000009
【図８】
2011136289.tif 000010